(57)【要約】【課題】  一つの液晶表示装置の表裏両面に画像を表示する両面画像表示装置において良好な画像が得られるようにすること。【解決手段】  両面画像表示装置（１）は液晶表示装置（１０）と、光源ユニット（２１）を一端面につけた透明導光板（２０）と、偏光板（３０）と、から構成される。液晶表示装置は液晶層（１１）を第１透明板（１２）と第２透明板（１３）で挟んで構成されている。偏光板（３０）は第１偏光板（３１）と第２偏光板（３２）を含み、両者は外部の光のうち、液晶層を通過できる光のみを通過せしめ、他は反射および吸収する。第２偏光板は透明導光板に密着配置されている。第２透明板でも反射は発生するが第２透明板に達する光は液晶層を通過できる光のみであり少ない。反射光が少ないので良好な画像が得られる。【選択図】      図１
2006058719.tif 000002
【特許請求の範囲】
【請求項１】
液晶層を２つの透明板で挟んで成り、液晶層の両側に画像を表示可能な液晶表示装置と、
液晶表示装置の一方の透明板の外側に配設される透明導光板であって、端面に付設される光源ユニットから入射した光を液晶表示装置に向けて出射する透明導光板と、
透明導光板と液晶表示装置の一方の透明板の間に配設され、液晶層を通過可能な光のみを通過せしめる偏光板と、を具備し、
偏光板が透明導光板に密着配置されている、
ことを特徴とする両面画像表示装置。
【請求項２】
偏光板の透明導光板と反対側が液晶表示装置の一方の透明板に密着配置されている、ことを特徴とする請求項１に記載の両面画像表示装置。
【発明の詳細な説明】
【技術分野】
【０００１】
本発明は両面画像表示装置、特に一つの液晶表示装置の表裏両面に画像を表示する両面画像表示装置に関する。
【背景技術】
【０００２】
液晶表示装置を使用して表裏両面に画像を表示する両面画像表示装置がある。例えば、携帯電話で使用されているものがあるが、これは２つの液晶表示装置を使用するものである。しかし、２つの液晶表示装置を使用すると、部品点数が多く、コストが高く、スペース的にも問題がある。そこで、一つの液晶表示装置の表裏両面に画像を表示するタイプの両面画像表示装置の開発が進められている。
【０００３】
図３に示すのが上記のタイプの両面画像表示装置の一般的な構造であり、両面画像表示装置１’は液晶表示装置１０と透明導光板２０と偏光板３０を含んで構成されている。液晶表示装置１０は液晶層１１を第１透明板１２と第２透明板１３で挟んで構成されている。透明導光板２０の一端面には光源ユニット２１が取り付けられており、透明導光板２０は液晶表示装置１０に対して図中左側に離間して、配置されている。偏光板３０は第１偏光板３１と第２偏光板３２を含み、第１偏光板３１は第１透明板１２の外側に密着接合され、第２偏光板３２は第２透明板１３の外側に密着接合されている。第１偏光板３１と第２偏光板３２は外から液晶表示装置１０に向かう光のうち、液晶層１１を通過可能な光のみを通過せしめるが、通過不可能な光は反射および吸収する。
【０００４】
上記の両面画像表示装置において図中左側から見る画像は電気信号により整列された液晶層１１に透明導光板２０からの光を見る側と同じ左側から照射して可視化されたものである。ところが、透明導光板２０から第２偏光板１２に向かった光のうち第２偏光板１２を通過できない光が第２偏光板１２の表面で反射する。この反射光が画像と一緒に使用者の目に入るので画像が不鮮明になる。
【発明の開示】
【発明が解決しようとする課題】
【０００５】
本発明は上記問題に鑑み、一つの液晶表示装置の両面に画像を表示して成る両面画像表示装置において、良好な画像を得ることができるようにすることを目的とする。
【課題を解決するための手段】
【０００６】
請求項１の発明によれば、液晶層を２つの透明板で挟んで成り、液晶層の両側に画像を表示可能な液晶表示装置と、液晶表示装置の一方の透明板の外側に配設される透明導光板であって、端面に付設される光源ユニットから入射した光を液晶表示装置に向けて出射する透明導光板と、透明導光板と液晶表示装置の一方の透明板の間に配設され、液晶層を通過可能な光のみを通過せしめる偏光板と、を具備し、偏光板が透明導光板に密着配置されている、両面画像表示装置が提供される。
このように構成される両面画像表示装置では、透明導光板から出た光のうち液晶層を通過可能な光のみが偏光板を通って液晶表示装置の一方の透明板に達する。
【０００７】
請求項２の発明によれば、請求項１の発明において、偏光板の透明導光板と反対側が液晶表示装置の一方の透明板に密着配置されている両面画像表示装置が提供される。
【発明の効果】
【０００８】
各請求項に記載の両面画像装置では、透明導光板から出た光のうち液晶層を通過可能な光のみが偏光板を通って液晶表示装置の導光板側の透明板に達し、この透明板で反射される光は少なく、使用者の目に入る反射光が少なく良好な画像が得られる。
特に、第２の実施の形態のようにすれば液晶表示装置の透明導光板側の透明板で反射される光は更に少なくなりより良好な画像が得られる。
【発明を実施するための最良の形態】
【０００９】
以下、添付の図面を参照して本発明の実施の形態を説明する。
図１は本発明の両面画像表示装置の第１の実施の形態の構造を示す図である。両面画像表示装置１は従来技術と同様に液晶表示装置１０と透明導光板２０と偏光板３０から構成される。液晶表示装置１０は液晶層１１を第１透明板１２と第２透明板１３で挟んで構成されている。透明導光板２０の一端面には光源ユニット２１が取り付けられている。光源ユニット２１は、例えば、ライトガイドパイプにＬＥＤ（発光ダイオード）を取り付けたもの、あるいは、大型サイズの場合には冷陰極管、を金属ホルダで覆って形成される。
【００１０】
偏光板３０は第１偏光板３１と第２偏光板３２を含み、第１偏光板３１は第１透明板１２の外側に密着接合されているが、第２偏光板３２は従来技術とは異なり透明導光板２１の液晶表示装置１０の側の表面に密着接合されている。
第２偏光板３２は透明導光板２０から液晶表示装置１０に向かう光のうち、液晶層１１を通過できる光のみを通過する機能を有する。
【００１１】
その結果、第２偏光板３２から液晶表示装置１０に向かう光は液晶層１１を通過できる光のみとなっている。例えば、透明導光板２０から第２偏光板３２に向かった光の５０％弱の光が液晶表示装置１０に向かう。液晶表示装置１０に向かった光の数％は第２透明板１３の表面で反射するが、透明導光板２０から第２偏光板３２に向かった光の５０％弱の光に対しての数％であるので絶対量は少ない。したがって、図中左側から画像を見た場合に反射光が少ないので良好に画像を捉えることができる。
【００１２】
これに対して、図３に示した従来技術の場合には、透明導光板２１から液晶表示装置１０に向かって液晶層１１を通過できる光のみではなく色々な光を含むランダム光（自然光）が出射する。この透明導光板２０から液晶表示装置１０に向かって出射した光は第２透明板１２の表面に密着されている第２偏光板３２の表面に達する。第２偏光板３２の表面に達した光のうち液晶層１１を通過できる光のみが第２偏光板３２を通過せしめられる。残りの光は第２偏光板３２の表面で反射し、この反射した光が、図中左側から画像を見た場合に画像とともに使用者の目に入り画像の質が低下するのである。
【００１３】
図２は第２の実施の形態の構造を示す図である。
この第２の実施の形態では、第１の実施の形態と比べて、第２偏光板３２の右側面と、第２透明板１２の左側の面が密着されている点が異なる。このようにすると、第２透明板１２の表面における反射がさらに減少しより良好な画像を得ることができる。
【産業上の利用可能性】
【００１４】
本発明は１つの液晶表示装置の両面に画像を表示するタイプの両面画像表示装置に適用できる。
【図面の簡単な説明】
【００１５】
【図１】本発明の第１の実施の形態の構造を示す図である。
【図２】本発明の第１の実施の形態の構造を示す図である。
【図３】従来技術の構造を示す図である。
【符号の説明】
【００１６】
１０    液晶表示装置
１１    液晶層
１２    第１透明板
１３    第２透明板
２０    透明導光板
２１    光源ユニット
３１    第１偏光板
３２    第２偏光板
【図１】
2006058719.tif 000003
【図２】
2006058719.tif 000004
【図３】
2006058719.tif 000005